(57)【要約】【課題】音信号Ｓを出力する音源２０と、別の領域に配置された音信号Ｓを出力する音出力部４０と、を具備する利便性のよい音送信システム１を提供する【解決手段】音送信システム１は、第１の領域である部屋１０Ａに配置された、音信号Ｓを出力する音源２０および音信号Ｓを送信する送信部３０と、別の領域である部屋１０Ｄに配置された、人間がいることを検知した場合にのみ、受信する音信号Ｓを出力する音出力部４０Ｄと、を具備する。【選択図】図１
2016005208.tif 000002
【特許請求の範囲】
【請求項１】
第１の領域に配置された、音信号を出力する音源および前記音信号を送信する送信部と、
前記第１の領域とは別の領域に配置された、人間がいることを検知した場合にのみ、受信する前記音信号を出力する音出力部と、を具備することを特徴とする音送信システム。
【請求項２】
前記音出力部が、照明装置に一体的に配設されていることを特徴とする請求項１に記載の音送信システム。
【請求項３】
前記照明装置のＯＮ／ＯＦＦ状態に基づき、前記音出力部が領域に人間がいることを検知することを特徴とする請求項１に記載の音送信システム。
【請求項４】
２以上の領域に、それぞれ前記音源および送信部が配置されており、
別の領域に配置された前記音源から送信された前記音信号を、前記音出力部が出力することを特徴とする請求項２に記載の音送信システム。
【請求項５】
前記音出力部が出力する音源を選択する選択部を具備することを特徴とする請求項４に記載の音送信システム。
【請求項６】
前記音出力部が配置されている少なくともいずれかの領域に、前記音源が配置されており、
それぞれの前記音出力部が、受信した前記音信号を送信する前記送信部を有することを特徴とする請求項１に記載の音送信システム。
【請求項７】
前記音源が、動作状態に応じて前記音信号を出力する機器の一部であることを特徴とする請求項１に記載の音送信システム。
【請求項８】
前記音源が前記音信号に対応した映像を表示する機器であり、
前記第１の領域の前記音出力部の情報に基づいて、人がいない場合に前記機器が映像を表示しないことを特徴とする請求項１に記載の音送信システム。
【請求項９】
前記音源が、マイクロフォンであることを特徴とする請求項１に記載の音送信システム。
【請求項１０】
第１の領域に配置された、音信号を出力する音源および前記音信号を送信する送信部と、
前記第１の領域とは別の領域に配置された、照明装置と、前記照明装置に一体的に配設されており、前記照明装置のＯＮ／ＯＦＦ状態に基づいて人間がいることを検知した場合にのみ受信する前記音信号を出力する音出力部とを、具備することを特徴とする照明システム。
【発明の詳細な説明】
【技術分野】
【０００１】
本発明の実施形態は、音信号を出力する音源と、前記音源が配置されている部屋とは別の部屋に配置された前記音信号を出力する音出力部と、を具備する音送信システム、および、音信号を出力する音源と、別の部屋の照明装置に配設された前記音信号を出力する音出力部と、を具備する照明システムに関する。
【背景技術】
【０００２】
住宅内には数多くの家電製品が配設されている。複数の家電製品を互いに接続することで、より利便性を向上することが検討されている。
【０００３】
しかし、複数の家電製品を単に接続しただけでは利便性は向上しない。接続された複数の家電製品の設定／操作が複雑化することで、逆に利便性が低下してしまうこともある。
【０００４】
例えば、１階のリビングルームでテレビ番組を視聴していたユーザーが、２階の子供部屋に行くときに移動中および子供部屋において音だけでも聞き続けることができると便利である。このためには、移動経路にある各部屋に音信号を送信し、各部屋のスピーカーから音信号を出力する方法が考えられる。
【０００５】
しかし、使用するには、どの部屋で、いつ聞くのか設定する必要がある。すなわち、廊下、階段等を含む経路となる部屋および移動先の子供部屋に配置されているスピーカーから、移動時間を考慮して順に所定時間だけ音を出力するように設定する必要がある。さらに、戻り経路においても同様の設定が必要であるだけでなく、移動時間が設定値と異なっていた場合には音を聞くことができない。もちろん、全てのスピーカーから常時、音を出力することは妥当な解決方法とはいえない。
【０００６】
なお、特開２００８−２０４６４０号公報には、照明装置にスピーカーを配設し調光に応じて音を再生する照明装置が開示されている。
【先行技術文献】
【特許文献】
【０００７】
【特許文献１】特開２００８−２０４６４０号公報
【発明の概要】
【発明が解決しようとする課題】
【０００８】
本発明の実施形態は、音信号を出力する音源と、別の領域に配置された前記音信号を出力する音出力部と、を具備する利便性のよい音送信システム、および、音信号を出力する音源と、別の領域に配置された照明装置に配設された前記音信号を出力する音出力部と、を具備する利便性のよい照明システムを提供することを目的とする。
【課題を解決するための手段】
【０００９】
本発明の一態様の音送信システムは、第１の領域に配置された、音信号を出力する音源および前記音信号を送信する送信部と、前記第１の領域とは別の領域に配置された、人間がいることを検知した場合にのみ、受信する前記音信号を出力する音出力部と、を具備する。
【００１０】
本発明の別の一態様の照明システムは、第１の領域に配置された、音信号を出力する音源および前記音信号を送信する送信部と、前記第１の領域とは別の領域に配置された、照明装置と、前記照明装置に一体的に配設されており、前記照明装置のＯＮ／ＯＦＦ状態に基づいて人間がいることを検知した場合にのみ受信する前記音信号を出力する音出力部とを、具備する。
【図面の簡単な説明】
【００１１】
【図１】第１実施形態の音送信システムを説明する模式図である。
【図２】第１実施形態の音送信システムの構成図である。
【図３】第１実施形態の変形例の音送信システムの構成図である。
【図４】第２実施形態の音送信システム（照明システム）の構成図である。
【図５】第２実施形態の変形例の音送信システム（照明システム）の構成図である。
【図６】第３実施形態の音送信システム（照明システム）の構成図である。
【図７】第３実施形態の変形例の音送信システム（照明システム）の構成図である。
【図８】第４実施形態の音送信システム（照明システム）の構成図である。
【図９】第４実施形態の音送信システム（照明システム）の宅内メッシュを説明するための図面である。
【図１０】第５実施形態の音送信システムを説明する模式図である。
【図１１】第６実施形態の音送信システムを説明する模式図である。
【図１２】第７実施形態の音送信システムを説明する模式図である。
【発明を実施するための形態】
【００１２】
＜第１実施形態＞
図１に示すように、本実施形態の音送信システム１は、複数の部屋１０（１０Ａ〜１０Ｄ）を有する建物内に配設される。なお、実施形態に基づく図面は、模式的なものである。また、複数の同じ機能の構成要素のそれぞれを示すときは符号の末尾にアルファベット１文字を削除する。例えば、部屋１０Ａ〜１０Ｄのそれぞれを部屋１０という。
【００１３】
後述するように、図１に示した音送信システム１は、第１の領域である部屋１０Ａでテレビジョン受信機（テレビ）２０の番組を視聴していたユーザー９が、第１の領域から出て部屋１０Ｂおよび部屋１０Ｃを通って部屋１０Ｄに行った場合を示している。部屋１０Ｄにいるユーザー９は、部屋１０Ｄの音出力部４０Ｄから出力されるテレビジョン受信機（テレビ）２０の音を聞いている。
【００１４】
ここで、部屋１０とは、リビングルーム、キッチン、寝室、および子供部屋等の一般的な意味の部屋に限られるものではなく、部屋１０には、廊下、玄関、風呂場、納戸、またはトイレ等の明確に独立していない領域も含まれる。また、広い部屋を複数の部屋と見なしてもよい。
部屋１０の数は２以上であるが、音送信システム１では、図１に示すように４部屋である。
【００１５】
音送信システム１では、部屋１０Ａに、音源であるテレビ２０と送信部３０とが配置されている。テレビ２０は、映像信号および音信号Ｓを出力する。映像信号および音信号は、テレビ２０のモニタ２１およびスピーカー２２から出力される。
【００１６】
テレビ２０が出力する音信号Ｓは、送信部３０にも有線または無線で送信される。送信部３０はテレビ２０が出力した音信号Ｓを送信する。送信部３０の送信手段は、有線でも良いが、施工が簡便であるため無線通信、特に近距離無線通信であることが好ましい。なお、テレビ２０と送信部３０とは一体であってもよい。例えば、テレビ２０が、音信号Ｓを無線送信する送信部３０の機能を有していてもよい。
【００１７】
一方、第１の領域（部屋１０Ａ）とは別の部屋（別の領域）１０Ｂ〜１０Ｄには、それぞれ、音出力部４０（４０Ｂ〜４０Ｄ）が配置されている。もちろん、建物内のすべての部屋に音出力部４０が配設されている必要はない。なお、逆に、後述する別の実施形態では、第１の領域１０Ａにも音出力部４０が配置されている。
【００１８】
図２に示すように、部屋１０（１０Ｂ、１０Ｃ、１０Ｄ）の音出力部４０（４０Ｂ、４０Ｃ、４０Ｄ）は、それぞれが、スピーカー４２（４２Ｂ、４２Ｃ、４２Ｄ）と、人感センサ４３（４３Ｂ、４３Ｃ、４３Ｄ）と、スイッチ部４４（４４Ｃ、４４Ｃ、４４Ｄ）と、を含む。
【００１９】
スピーカー４２には必要に応じて音信号Ｓを増幅するアンプが含まれている、音送信システム１の送信部３０の送信手段は無線であるので、音出力部４０は無線で送信される音信号Ｓを受信する受信部４１（４１Ｂ、４１Ｃ、４１Ｄ）を有する。
【００２０】
人感センサ４３は、部屋１０にユーザー（人間）９がいることを検知する。人感センサ４３は、例えば、超音波式センサ、赤外線式センサまたは画像処理機能を有するＣＣＤ等の撮像装置である。人感センサ４３は、大人だけを検出するように設定されていてもよいし、撮像装置の映像をもとに公知の顔認識機能により特定のユーザーだけを検出するように設定されていてもよい。
【００２１】
スイッチ部４４は、部屋１０にユーザー９がいることを検知した場合にのみ、テレビ２０から送信されてきた音信号Ｓがスピーカー４２により出力できるように受信部４１およびスピーカー４２を制御する、例えば半導体プロセッサー等からなる制御部である。
【００２２】
図１に示したように、音送信システム１では、ユーザー９のいる部屋１０の音出力部４０だけがテレビ２０から送信されてきた音信号Ｓを出力する。例えば１階のリビングルーム（部屋１０Ａ）でテレビ番組を視聴していたユーザー９が、２階の子供部屋（部屋１０Ｄ）に移動するために、部屋１０Ｂに入ると、ユーザー９は音出力部４０Ｂが出力するテレビ番組の音を聞くことができる。次に、部屋１０Ｃに入ると、部屋１０Ｂの音出力部４０Ｂは音を出力しなくなり、ユーザー９は音出力部４０Ｃが出力するテレビ番組の音を聞くことができる。そして、図１に示す様に、ユーザー９が部屋１０Ｄに入ると、部屋１０Ｃでは音は聞けなくなり、部屋１０Ｄでは音出力部４０Ｄが出力した音を聞くことができる。なお、帰り道でも同様に自動的に番組の音を聞き続けることができる。
【００２３】
なお、移動開始前にユーザー９が送信部３０を起動してもよいし、テレビ２０が起動状態の場合には自動的に送信部３０が起動されるように設定されていてもよい。音送信システム１は、複雑な設定／操作が不要であるため、利便性がよい。また、人間９がいない部屋１０では音信号は出力されないため、省エネルギー性にも優れている。
【００２４】
なお、図３に示すように、音送信システム１のテレビ２０（送信部３０）および音出力部４０（４０Ｂ〜４０Ｄ）が、ハブであるＧＷ（ゲートウェイ）３０Ｘを介して、有線または無線で接続されていてもよい。
【００２５】
＜第２実施形態＞
次に、図４を用いて、第２実施形態の音送信システム１Ａについて説明する。なお、以下の実施形態および変形例の音送信システムは、第１実施形態の音送信システム１と類似しているので、同じ機能の構成要素には同じ符号を付し説明は省略する。
【００２６】
図４に示すように、音送信システム１Ａでは、それぞれの部屋１０（１０Ａ〜１０Ｄ）に照明装置５０（５０Ａ〜５０Ｄ）が配設されている。そして、音出力部４０は、照明装置５０に一体的に配設されている。音出力部４０が照明装置５０に配設されている音送信システム１Ａのことを照明システム２Ａという。なお、部屋１０Ａにも照明装置５０および音出力部４０が配置されていてもよい。
【００２７】
音送信システム１Ａ（照明システム２Ａ）は、音送信システム１の効果を有する、そして、音出力部４０は照明装置５０に接続されている宅内電力配線から駆動電力を得ることができる。このため、音送信システム１Ａ（照明システム２Ａ）は、配設が容易である。また、例えば天井または壁に配設されている照明装置５０の内部に音出力部４０を一体的に配設することで、音送信システム１Ａ（照明システム２Ａ）は、配設がさらに容易で、かつ、音出力部４０の配置により部屋１０の雰囲気が損なわれることがない。
【００２８】
音出力部４０は、照明装置５０のオプションとして後付可能であることが特に好ましい。すなわち、照明装置５０は音出力部４０を取り付けると電気的接続も完了する音出力部接続部を具備することが好ましい。照明装置５０を設置後に、必要に応じて非常に容易に、かつ低コストで音出力部４０を配設できる。
【００２９】
＜第２実施形態の変形例＞
次に、図５を用いて、第２実施形態の変形例の１Ｂ（照明システム２Ｂ）について説明する。音送信システム１Ｂ（照明システム２Ｂ）では、照明装置５０のＯＮ／ＯＦＦ状態に基づき、音出力部４０が部屋１０に人間９がいることが検知する。照明装置５０のＯＮ／ＯＦＦ操作は例えばユーザー９のリモコン操作により行われる。
【００３０】
音送信システム１Ｂでは照明装置５０がＯＮの部屋１０には人間９がいるとみなす。このため、音送信システム１Ｂの音出力部４０は、人感センサが不要である。なお、調光可能な照明装置５０がＯＮ状態であっても非常に暗い状態に調光されている場合には、ＯＮ状態ではないと見なしてもよい。また、照明装置５０が人感センサを有する場合には、照明装置５０の人感センサの検知結果をもとに音出力部４０が音信号Ｓを出力してもよい。
【００３１】
音送信システム１Ｂ（照明システム２Ｂ）は、音送信システム１Ａ（照明システム２Ａ）の効果を有し、さらに構成が簡単で低価格である。
【００３２】
＜第３実施形態＞
次に、図６を用いて、第３実施形態の音送信システム１Ｃ（照明システム２Ｃ）について説明する。音送信システム１Ｃ（照明システム２Ｃ）では、２以上の部屋１０Ａ、１０Ｂにそれぞれ音源２０Ａ、２０Ｂおよび送信部３０Ａ、３０Ｂが配置されており、別の部屋の音出力部４０が少なくともいずれかの音源２０Ａ、２０Ｂから送信された音信号Ｓを出力する。言い替えれば、音送信システム１Ｃでは、音源２０が配置された第１の領域が複数ある。
【００３３】
なお、第１の領域１０Ａにも照明装置５０および送信部３０Ａを有する音出力部４０が配置されていてもよい。
【００３４】
例えば、部屋１０Ｃの受信部４１Ｃは、部屋１０Ａの送信部３０Ａが送信する音信号ＳＡと、部屋１０Ｂの送信部３０Ｂが送信する音信号ＳＢとを受信する。そして、人感センサ４４Ｃが人間９を検知すると、スピーカー４２Ｃからは音信号ＳＡおよび音信号ＳＢが同時に出力される。
【００３５】
なお、部屋１０Ｂでは、音信号ＳＡだけが出力される。しかし、例えば、部屋１０Ｃにも音源２０および送信部３０が配置されている場合には、部屋１０Ｂでは、音信号ＳＡに加えて部屋１０Ｃからの音信号も出力される。
【００３６】
音出力部４０は、複数の音信号の再生音量が異なるように設定されていてもよいし、所定の時間間隔で出力する音信号を自動的に変更してもよい。
【００３７】
音送信システム１Ｃ（照明システム２Ｃ）は、音送信システム１Ａ（照明システム２Ａ）の効果を有し、さらに利便性が高い。
【００３８】
＜第３実施形態の変形例＞
次に、図７を用いて、第３実施形態の変形例の音送信システム１Ｄ（照明システム２Ｄ）について説明する。音送信システム１Ｄ（照明システム２Ｄ）では、音出力部４０（４０Ｃ、４０Ｄ）が出力する音源２０を選択する選択部６０（６０Ｃ、６０Ｄ）を具備する。
【００３９】
選択部６０は、例えば、ユーザー９が部屋１０Ｃ等で操作するリモコン、または、スマートホンである。しかし選択部６０が、予め設定された条件、例えば時刻に応じて自動的に選択を行ってもよい。例えば、テレビ２０がニュースを放送している時間帯には音源であるテレビ２０Ａからの音信号を選択し、それ以外の時間帯には、音楽プレーヤである音源２０Ｂからの音信号を選択してもよい。
【００４０】
音送信システム１Ｄ（照明システム２Ｄ）は、音送信システム１Ｃ（照明システム２Ｃ）の効果を有し、さらに利便性が高い。
【００４１】
＜第４実施形態＞
次に、図８および図９を用いて、第４実施形態の変形例の音送信システム１Ｅ（照明システム２Ｅ）について説明する。なお、図９は、音信号の伝送経路を説明するための図であるため、伝送に直接関係のない構成要素は図示していない。音送信システム１Ｅ（照明システム２Ｅ）では、それぞれの音出力部４０（４０Ｂ、４０Ｃ、４０Ｄ）が、受信した音信号を送信し中継する送信部（３０Ｂ、３０Ｃ、３０Ｄ）を有する。
【００４２】
すなわち、図９に示すように音送信システム１Ｅでは、音信号の伝送経路がメッシュ状になっている。例えば、送信部３０Ａが出力した音信号は、経路（Ｄ）だけでなく、経路（Ｆ）−（Ｃ）、または経路（Ａ）−（Ｂ）−（Ｃ）を介して部屋１０Ｄの受信部４１Ｄに受信される。
【００４３】
なお、部屋１０Ｄが音信号の伝送経路の最終となる。このため、部屋１０Ｄの送信部３０Ｄは受信した音信号を送信（中継）する必要はない。すなわち、人間９がいることが検知された部屋、例えば照明装置５０がＯＮ状態の部屋の送信部は受信した音信号を送信しない。
【００４４】
音送信システム１Ｅは、伝送手段が有線の場合、伝送のための配線を簡略化することができる。また、伝送手段が無線の場合には最も伝送効率のよい、言い替えれば信号強度の強い低ノイズの信号が受信される。例えば、２階の床がコンクリートのように電波を遮断する部材の場合、１階の部屋１０Ａの送信部３０Ａが出力する電波は、直上の２階の部屋１０Ｄには届きにくい。しかし、経路（Ａ）−（Ｂ）−（Ｃ）では、間に電波を遮断する部材がないため、経路（Ｄ）よりも伝送距離は長くなるが伝送効率は高い。
【００４５】
音送信システム１Ｅ（照明システム２Ｅ）は、音送信システム１Ａ（照明システム２Ａ）等の効果を有し、さらに効率良く音信号を伝送できる。
【００４６】
＜第５実施形態＞
次に、図１０を用いて、第５実施形態の変形例の音送信システム１Ｆ（照明システム２Ｆ）について説明する。音送信システム１Ｆ（照明システム２Ｆ）では、音源２０Ｆが、動作状態に応じて音信号を出力する機器である。
【００４７】
例えば、音源２０Ｆは洗濯機２３の洗濯完了を告知する報知音出力部である。音源２０Ｆは洗濯機２３に配設されたスピーカー（振動子）４２から報知音を出力するとともに、図示しない送信部により報知音の音信号を出力する。
【００４８】
なお、図１０に示すように、音送信システム１Ｆ（照明システム２Ｆ）の部屋１０Ａには照明装置５０Ｄが配置されており、送信部３０Ａおよび受信部４１Ａは、音出力部４０Ａの一部である。洗濯機２３からの、報知音の音信号は受信部４１Ａに受信される。また、音出力部４０Ｂ、４０Ｃ、４０Ｄが、それぞれ送信部３０を有していてもよい。
【００４９】
部屋１０Ｄにいるユーザー９は、音出力部４０Ｄを介して洗濯機２３の洗濯完了を告知する報知音を聞くことができる。
【００５０】
なお、動作状態に応じて音信号を出力する機器としては、洗濯機２３、テレビ２０等のオーディオ機器または電子レンジ等の調理用機器等に限られるものではなく、報知音を出力する機器であれば、例えば湯張り完了音を出力する風呂システム等であってもよい。
【００５１】
なお、第３実施形態の音送信システム１Ｃのように、音出力部４０Ｄが複数の音源からの音信号を出力する場合には、音出力部４０Ｄは報知音を別の音よりも優先して出力すること、例えば、より大きな音で出力することが好ましい。
【００５２】
音送信システム１Ｆ（照明システム２Ｆ）は、音送信システム１Ａ（照明システム２Ａ）と同じ効果を有し、さらに機器が出力する報知音を聞き逃すことがない。
【００５３】
＜第６実施形態＞
次に、図１１を用いて、第６実施形態の変形例の音送信システム１Ｇ（照明システム２Ｇ）について説明する。音送信システム１Ｇ（照明システム２Ｇ）では、第１の領域１０Ａの音源２０が音信号に対応した映像を表示する機器であり、第１の領域１０Ａの音出力部の情報に基づいて、部屋１０Ａに人間９がいない場合に機器が映像を表示しない。
【００５４】
テレビ２０は、音信号Ｓを出力する音源であるが、音信号Ｓに対応した映像もモニタ２１に表示する機器である。すでに説明したように、本発明の実施形態の音送信システム（照明システム）によれば、ユーザー９は、テレビ２０が配置された部屋１０Ａを離れているときでも、別の部屋でテレビ２０の音を聞くことができる。
【００５５】
しかし、テレビ２０が配置された部屋１０Ａにユーザー９がいない場合も、テレビ２０のモニタ２１には映像が表示されており、無駄である。
【００５６】
音送信システム１Ｇ（照明システム２Ｇ）では、部屋１０Ａにも受信部４１Ａ、送信部３０Ａ、および人感センサ４３Ａを有する音出力部４０Ａが配設されている。
【００５７】
そして、人感センサ４３Ａが人間９を検出しない場合には、音出力部４０Ａはテレビ２０がモニタ２１に映像信号を表示しないように制御する。例えば、音出力部４０Ａは、モニタ２１のバックライトを消灯するように制御する。
【００５８】
なお、部屋１０Ａは広い部屋で、ユーザー９とモニタ２１との間に障害物があり、ユーザー９がモニタ２１を視認できない場合にも音出力部４０Ａはテレビ２０がモニタ２１に映像信号を表示しないように制御することが好ましい。すなわち、部屋の中に複数の照明装置が配設されている広い部屋の場合には、１つの部屋を音源のある第１の領域と第１の領域とは別の部屋とからなると見なすことができる。さらに、撮像装置によりユーザー９の存在を検知する場合には、画像処理によりユーザー９の視線方向を検出し、所定時間以上、ユーザー９がモニタ２１を見ていない場合にはテレビ２０がモニタ２１に映像信号を表示しないように制御してもよい。
【００５９】
音送信システム１Ｇ（照明システム２Ｇ）は、音送信システム１Ａ（照明システム２Ａ）の効果を有し、さらに、見る人間のいないモニタ２１に映像を表示しないため、省エネルギー性に優れている。なお、映像信号だけでなく、テレビ２０のスピーカー２２からの音の出力も停止してもよいことは言うまでも無い。
【００６０】
＜第７実施形態＞
次に、図１２を用いて、第７実施形態の変形例の音送信システム１Ｈ（照明システム２Ｈ）について説明する。音送信システム１Ｈ（照明システム２Ｈ）では、音源が、部屋１０Ａに配置されたマイクロフォン２０Ｈが音源である。
【００６１】
例えば、子供部屋１０Ａのマイクロフォン２０Ｈは、幼児９Ａの泣き声を音信号に変換し出力する。
【００６２】
ユーザー９は、どの部屋にいても、人間９がいることを検知した音出力部４０を介して幼児９Ａの泣き声を聞くことができる。
【００６３】
音送信システム１Ｈ（照明システム２Ｈ）は、音送信システム１Ａ（照明システム２Ａ）の効果を有し、さらに幼児９Ａの泣き声等をどの部屋にいても確実に聞くことができるため、利便性が高い。
【００６４】
本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更ができる。これら実施形態やその変形は、発明の範囲や要旨に含まれるとともに、特許請求の範囲に記載された発明とその均等の範囲に含まれる。
【符号の説明】
【００６５】
１、１Ａ〜１Ｈ…音送信システム
２Ａ〜２Ｈ…照明システム
９…ユーザー
１０、１０Ａ〜１０Ｄ…部屋
２０…音源（テレビ）
２１…モニタ
２２…スピーカー
３０…送信部
４０…音出力部
４１…受信部
４２…スピーカー
４３…人感センサ
４４…スイッチ部
５０…照明装置
【図１】
2016005208.tif 000003
【図２】
2016005208.tif 000004
【図３】
2016005208.tif 000005
【図４】
2016005208.tif 000006
【図５】
2016005208.tif 000007
【図６】
2016005208.tif 000008
【図７】
2016005208.tif 000009
【図８】
2016005208.tif 000010
【図９】
2016005208.tif 000011
【図１０】
2016005208.tif 000012
【図１１】
2016005208.tif 000013
【図１２】
2016005208.tif 000014